(57)【要約】【課題】電気掃除機において、収納体内への閉塞体の組込み作業を容易にすること。【解決手段】一端を掃除機本体の収納体１７に着脱可能に装着され他端に把手部を有する伸縮自在の操作パイプと、一端を操作パイプの把手部近傍に接続され他端を掃除機本体に接続されて操作パイプと集塵室とを連通する集塵ホースとを備え、予め収納体１７の内側底面近傍に、外気の吸引を遮断する略リング状の閉塞体２０を取り付けるための段差部Ａ４１を設けると共に、段差部Ａ４１の近傍の収納体１７の側壁に開口部２１を形成し、開口部２１から指を挿入して略リング状の閉塞体２０を段差部Ａ４１に取り付ける構成としたもので、収納体１７内の奥に閉塞体２０を配設する為の組込み作業を開口部２１から指を挿入して行うことが可能になり、収納体１７内への閉塞体２０の組込み作業が容易になるものでる。【選択図】図１
2010115422.tif 000002
【特許請求の範囲】
【請求項１】
底面に吸込開口を有する吸込口体と、集塵室と電動送風機とを有すると共に前記吸込口体の上部に設けられた掃除機本体と、一端を前記掃除機本体に着脱可能に装着され他端に把手部を有する伸縮自在の操作パイプと、一端を前記操作パイプの把手部近傍に接続され他端を前記掃除機本体に接続されて前記操作パイプと集塵室とを連通する集塵ホースとを備え、前記操作パイプの一端を掃除機本体に設けた収納体に装着時に、前記収納体の内壁と装着された操作パイプとの隙間を介して、前記操作パイプの一端から前記電動送風機に向けて外気が吸引されないように、予め前記収納体の内側底面近傍に、外気の吸引を遮断する略リング状の閉塞体を取り付けるための段差部Ａを設けると共に、前記段差部Ａの近傍の上記収納体の側壁に開口部を形成し、前記開口部から指を挿入して前記略リング状の閉塞体を前記段差部Ａに取り付ける構成とした電気掃除機。
【請求項２】
開口部を、段差部Ａに対して、収納体の挿入口側に設けた請求項１に記載の電気掃除機。
【請求項３】
操作パイプを掃除機本体に装着したときに、段差部Ａと対向する段差部Ｂを、操作パイプの先端近傍に設け、前記操作パイプを掃除機本体の収納体に装着したときに、前記収納体の段差部Ａに取り付けられた略リング状の閉塞体を、前記操作パイプの段差部Ｂの平面部である当接座が押さえつける構成とした請求項１または２記載の電気掃除機。
【請求項４】
閉塞体を、少なくとも弾性体、樹脂、粘着剤の３層からなる複合体としたことを特徴とする請求項１〜３のいずれか１項に記載の電気掃除機。
【発明の詳細な説明】
【技術分野】
【０００１】
本発明は、掃除機本体に伸縮自在のパイプ手段を有する電気掃除機に関するものである。
【背景技術】
【０００２】
従来の電気掃除機について、図７、図８、図９を用いて説明する。
【０００３】
従来の電気掃除機は、底面に吸込開口を有する吸込口体５０と、この吸込口体５０の上に設けた掃除機本体５１と、この掃除機本体５１に着脱可能に取り付けたパイプ５２からなるハンドル（操作パイプ）５３とを備え、このハンドル５３の上部には把手部５４が設けられ、ハンドル５３の上端には集塵ホース５５の一端が接続され、集塵ホース５５の一端は掃除機本体５１に接続されている。そして、集塵ホース５５と掃除機本体５１内の集塵室５６とが連通し、吸込口体５０も集塵室５６に連通しているが、掃除機本体５１を立てた状態では連通が遮断される構造としている。掃除機本体５１に装着されたハンドル５３の先端部は密閉されている。したがってハンドル５３の先端部からの吸込みは、掃除機本体５１を立てた状態でハンドル５３を掃除機本体５１から取外すことで使用することが出来るようになっている。ここでハンドル５３の先端部の密閉構成として一般的には、特開２００８−７３３０３に示されるように収容部５７の底面には、パイプ５２の挿入・引き抜き方向に進退可能に設けられ、パイプ５２の端部と接触するレバー５８が設けられており、そして、収容部５７内にパイプ５２が収容されているときには、レバー５８は、パイプ５２の端部によって弁体５９に向けて押圧されている。そして、レバー５８は、弁体５９を連結口６０に向けて押圧し、連結口６０Ａは、弁体５９によって閉塞されている。またこの他の構成として収容部５７の底面に閉塞体６１を設けてパイプ５２の端部と圧接させることによりパイプ５２の端部を閉塞させるものがあった（例えば、特許文献１参照）。
【特許文献１】特開２００８−７３３０３号公報
【発明の開示】
【発明が解決しようとする課題】
【０００４】
従来、この種の伸縮自在のパイプ手段を有する電気掃除機では、上記に示すように収容部５７の底面に閉塞体６１を設けてパイプ５２の端部と圧接させることによりパイプ５２の端部を閉塞させるものがあったがしかし、収容部５７の底面奥に閉塞体６１を配設する組込み作業は非常に困難で、収容部５７の底面奥に人の手、指が届かず治具や工具を必要とし、時間と手間が掛かるという課題があった。
【０００５】
本発明は上記課題を解決するもので、閉塞体近傍の収納体の側壁に開口部を形成し、収納体内の奥に閉塞体を配設する為の組込み作業を収納体の側壁に形成した開口部から指を挿入して行うことが出来、収納体内への閉塞体の組込み作業を非常に容易にすることが出来る軽労働の組立て易い電気掃除機を提供することを目的とする。
【課題を解決するための手段】
【０００６】
上記従来の課題を解決するために本発明は、底面に吸込開口を有する吸込口体と、集塵室と電動送風機とを有すると共に前記吸込口体の上部に設けられた掃除機本体と、一端を前記掃除機本体に着脱可能に装着され他端に把手部を有する伸縮自在の操作パイプと、一端を前記操作パイプの把手部近傍に接続され他端を前記掃除機本体に接続されて前記操作パイプと集塵室とを連通する集塵ホースとを備え、前記操作パイプの一端を掃除機本体に設けた収納体に装着時に、前記収納体の内壁と装着された操作パイプとの隙間を介して、前記操作パイプの一端から前記電動送風機に向けて外気が吸引されないように、予め前記収納体の内側底面近傍に、外気の吸引を遮断する略リング状の閉塞体を取り付けるための段差部Ａを設けると共に、前記段差部Ａの近傍の上記収納体の側壁に開口部を形成し、前記開口部から指を挿入して前記略リング状の閉塞体を前記段差部Ａに取り付ける構成としたもので、上記開口部を形成したことにより、収納体内の奥に閉塞体を配設する為の組込み作業を収納体の側壁に形成した開口部から指を挿入して行うことが出来、収納体内への閉塞体の組込み作業を容易にすることが出来る。
【発明の効果】
【０００７】
本発明の電気掃除機は、収納体内への閉塞体の組込み作業を容易にすることが出来、軽労働の組立て易い電気掃除機を提供できる。
【発明を実施するための最良の形態】
【０００８】
第１の発明は、底面に吸込開口を有する吸込口体と、集塵室と電動送風機とを有すると共に前記吸込口体の上部に設けられた掃除機本体と、一端を前記掃除機本体に着脱可能に装着され他端に把手部を有する伸縮自在の操作パイプと、一端を前記操作パイプの把手部近傍に接続され他端を前記掃除機本体に接続されて前記操作パイプと集塵室とを連通する集塵ホースとを備え、前記操作パイプの一端を掃除機本体に設けた収納体に装着時に、前記収納体の内壁と装着された操作パイプとの隙間を介して、前記操作パイプの一端から前記電動送風機に向けて外気が吸引されないように、予め前記収納体の内側底面近傍に、外気の吸引を遮断する略リング状の閉塞体を取り付けるための段差部Ａを設けると共に、前記段差部Ａの近傍の上記収納体の側壁に開口部を形成し、前記開口部から指を挿入して前記略リング状の閉塞体を前記段差部Ａに取り付ける構成としたもので、上記開口部を形成したことにより、収納体内の奥に閉塞体を配設する為の組込み作業を収納体の側壁に形成した開口部から指を挿入して行うことが出来、収納体内への閉塞体の組込み作業を非常に容易にすることが出来る。
【０００９】
第２の発明は、第１の発明の開口部を、段差部Ａに対して、収納体の挿入口側に設けたもので、段差部Ａに取り付けられた閉塞体よりも、先の収納体の底面部側に開口部を有しない閉空間とすることを確実に確保することが出来るものである。
【００１０】
第３の発明は、第１または第２の発明に加えて、操作パイプを掃除機本体に装着したときに、段差部Ａと対向する段差部Ｂを、操作パイプの先端近傍に設け、前記操作パイプを掃除機本体の収納体に装着したときに、前記収納体の段差部Ａに取り付けられた略リング状の閉塞体を、前記操作パイプの段差部Ｂの平面部である当接座が押さえつけてなるもので、閉塞体の押さえつけが容易にでき、閉塞体による吸気の密閉が容易に行えるものである。
【００１１】
第４の発明は、第１〜第３のいずれか１つの発明の閉塞体を、少なくとも弾性体、樹脂、粘着剤の３層からなる複合体としたものである。本構成により、弾性体で柔らかく形の安定しない例えば発泡ゴムを収納体へ貼付ける作業は非常に困難であるが、弾性体で柔らかい発泡ゴムを硬質で硬い樹脂で支持することで弾性体の形を安定させ、収納体への貼付け作業を非常に容易に行えるようにするものである。
【００１２】
以下、本発明の実施の形態について、図面を参照しながら説明する。なお、この実施の形態によりこの発明が限定されるものではない。
【００１３】
（実施の形態１）
本発明の第１の実施の形態について、図１から図５を用いて説明する。
【００１４】
図１から図５に示す電気掃除機は、底面に図示しない吸込開口を有する吸込室（図示せず）を形成した吸込口体１と、掃除機本体２と、この掃除機本体２に着脱可能に装着された伸縮可能な操作パイプ３とを備えている。吸込口体１の後部には前後方向に回動可能な回転管４が設けられており、この回転管４は吸込口体１の吸込室に連通されている。また、回転管４の上部は後述する掃除機本体２の下部の接続部５に固定されている。掃除機本体２は、内部に形成された集塵室６と、この集塵室６を負圧にする電動送風機７と、集塵室６に着脱自在に装着された集塵フィルタ（紙パック）Ｆ等とを備えている。
【００１５】
また、掃除機本体２の上部には取手８が一体的に設けられており、その前部側には集塵ホース９の一端が接続され、その集塵ホース９の他端が操作パイプ３の後端部に接続されている。そして、集塵ホース９は掃除機本体２の集塵室６に連通している。操作パイプ３は、後部に設けた把手部１０と、大径パイプ１１に設けた取付凹部１２とを有している。そして、大径パイプ１１の取付凹部１２を掃除機本体２の挿入口１３に差し込み係合突出部１４に係合させると、図示しないロック機構により係合突出部１４が上記取付凹部１２にロックされて、操作パイプ３が掃除機本体２に装着される。この操作パイプ３の先端部を掃除機本体２の挿入口１３に差し込むと、操作パイプ３の先端部の大径パイプ１１に形成された段差部Ｂ４２の平面部である当接座１１Ａが、上記挿入口１３を有する収納体１７の奥の段差部Ａ４１に取り付けられた閉塞体２０と圧接されることにより、密閉されるようになっている。係合突出部１４（図示せず）のロックの解除は掃除機本体２の取手８の上面に設けた解除レバー１５を引くことにより行われるようになっている。
【００１６】
そして、吸込口体１は、回転管４、接続部５を介して集塵室６に連通しているが、掃除機本体２を立てた状態では連通が遮断される構造としている。また上記したように掃除機本体２に装着された操作パイプ３の先端部は奥で密閉されるようになっている。したがって操作パイプ３の先端部からの吸込みは、掃除機本体２を立てた状態で操作パイプ３を掃除機本体２から取外すことで使用することが出来るようになっている。
【００１７】
また、操作パイプ３は、大径パイプ１１と、この大径パイプ１１内に挿入された小径パイプ１６とを有し、この大径パイプ１１が操作パイプ３内を摺動移動することにより伸縮するものであり。そして、操作パイプ３に設けたボタン１８を押すと、大径パイプ１１の摺動移動が可能となり、そのボタン１８の押圧を解除すると大径パイプ１１はその位置でロックされるようになっている。
【００１８】
また、収納体１７の側壁には、開口部２１が形成されており開口部２１は、閉塞体２０の近傍で閉塞体２０よりも収納体１７の挿入口１３側に設けられている。
【００１９】
また、閉塞体２０は、発泡ゴムからなる弾性体２２と粘着剤２３の２層からなる複合体で構成され粘着剤２３により収納体１７へ貼り付けるだけの貼付け作業で、作業を非常に容易に行えるようになっている。
【００２０】
また、上記閉塞体２０は、発泡ゴムからなる弾性体２２と粘着剤２３の２層からなる複合体の板材を打抜き加工としたものであり、閉塞体２０の加工コストを安価に抑えられている。
【００２１】
掃除機本体２の上部には電動送風機７の電源スイッチ（操作スイッチ）１９が設けられている。
【００２２】
以上のように構成された電気掃除機について、以下その動作、作用を説明する。
【００２３】
先ず、図５に示すように操作パイプ３を伸長させる。そして、電源スイッチ１９をオンにすると、電動送風機７が駆動されて集塵室６の空気が電動送風機７により吸引されていく。この吸引により集塵室６が負圧となり、この負圧が回転管４および吸込口体１の吸込室に作用し、吸込室の吸込開口から空気とともに塵埃が吸引されていく。吸込室に吸引された空気および塵埃は回転管４を介して掃除機本体２の集塵室６へ吸引されていき、塵埃が集塵フィルタＦに集塵されていく。なお、集塵方式は集塵フィルタＦのないサイクロン方式であってもよい。
【００２４】
吸込口体１による床面の掃除を行う場合には、図５に示すように操作パイプ３の把手部１０を持って掃除機本体２を前後に移動させれば床面などの掃除が行える（この時掃除機本体２に装着された操作パイプ３の先端部は密閉されている。）。
【００２５】
また、図３に示すように操作パイプ３を掃除機本体２から取り外して掃除を行う場合、掃除機本体２を立てた状態で（掃除機本体２を立てた状態では集塵室６への連通が遮断される）掃除機本体２の上部に設けた解除レバー１５を引くことにより係合突出部１４のロックの解除を行い、操作パイプ３を掃除機本体２から取外すことで操作パイプ３の先端部から吸引された空気および塵埃は操作パイプ３および集塵ホース９を介して掃除機本体２の集塵室６へ吸引されていく。
【００２６】
電動送風機７により吸引された空気は電動送風機７のモータ内を通ってこのモータを冷却していく。モータを冷却した空気は電動室（図示せず）を介して掃除機本体２に設けた図示しない排気孔から外へ排気されていく。
【００２７】
また、収納体１７の側壁には、閉塞体２０の近傍に開口部２１が形成されており、上記開口部２１を形成したことにより、収納体１７内の奥に閉塞体２０を配設する為の組込み作業を収納体１７の側壁に形成した開口部２１から指を挿入して行うことが出来、収納体１７内への閉塞体２０の組込み作業を非常に容易にすることが出来るものである。
【００２８】
また、開口部２１は、閉塞体２０の近傍で閉塞体２０よりも収納体１７の挿入口１３側に設けられており、閉塞体２０よりも先の収納体１７の底面部側を開口部を有しない閉空間とすることを確実に確保することが出来るもである。
【００２９】
また、閉塞体２０は、発泡ゴムからなる弾性体２２と粘着剤２３の２層からなる複合体で構成され粘着剤２３により収納体１７へ貼り付けるだけの貼付け作業で、作業を非常に容易に行うことが出来るものである。
【００３０】
また、上記閉塞体２０は、発泡ゴムからなる弾性体２２と粘着剤２３の２層からなる複合体の板材を打抜き加工としたものであり、閉塞体２０の加工コストを安価に抑えることが出来るものである。
【００３１】
（実施の形態２）
本発明の第２の実施の形態について、図６を用いて説明する。なお、実施の形態１と同一部分については同一符号を付してその説明を省略する。
【００３２】
図６において３０は、発泡ゴムからなる弾性体２２と樹脂板材２４と粘着剤２３の３層からなる複合体で構成された閉塞体２０であり、弾性体で柔らかく形の安定しない発泡ゴムを収納体１７へ貼付ける作業は非常に困難であるが、弾性体で柔らかい発泡ゴムを硬質で硬い樹脂板材２４で支持することで弾性体２２の形を安定させ、収納体１７への貼付け作業を非常に容易に行えるようにすることが出来るのもである。
【００３３】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。
【産業上の利用可能性】
【００３４】
以上のように、本発明にかかる電気掃除機は、収納体内への閉塞体の組込み作業を容易にすることが出来、軽労働の組立て易い電気掃除機を提供することが出来るため、家庭、業務用等の電気掃除機に幅広く応用できる。
【図面の簡単な説明】
【００３５】
【図１】本発明の実施の形態１を示す電気掃除機の収納体、開口部、閉塞体を示した部分断面図
【図２】同電気掃除機の集塵室の着脱状態を表す、電気掃除機全体の斜視図
【図３】同電気掃除機の操作パイプを取り外した状態の電気掃除機全体の斜視図
【図４】同電気掃除機の閉塞体の断面図
【図５】同電気掃除機の床面掃除時の状態を表す外観斜視図
【図６】本発明の実施の形態２を示す電気掃除機の閉塞体の断面図
【図７】従来の電気掃除機の一部断面側面図
【図８】同他の構成による従来の電気掃除機の全体側面図
【図９】同収納体部の詳細図
【符号の説明】
【００３６】
１      吸込口体
２      掃除機本体
３      操作パイプ
４      回転管
５      接続部
６      集塵室
７      電動送風機
１１    大径パイプ
１１Ａ  当接座
１６    小径パイプ
１７    収納体
１８    ボタン
１９    電源スイッチ
２０    閉塞体
２１    開口部
２２    弾性体
２３    粘着剤
２４    樹脂板材
４１    段差部Ａ
４２    段差部Ｂ
【図１】
2010115422.tif 000003
【図２】
2010115422.tif 000004
【図３】
2010115422.tif 000005
【図４】
2010115422.tif 000006
【図５】
2010115422.tif 000007
【図６】
2010115422.tif 000008
【図７】
2010115422.tif 000009
【図８】
2010115422.tif 000010
【図９】
2010115422.tif 000011